(57)【要約】【課題】直接照明状態と間接照明状態とを切り替えることが可能な室内照明装置を得る。【解決手段】アウタケース６を光源３周りに回動可能に構成し、インナケース５とアウタケース６との相対回動位置を変化させることによって、間接照明光路となる窓７ａと窓８ａ１とが重なり合うとともに直接照明光路となる窓７ｂと窓８ｂ２とが重なり合わずに間接照明光Ｌｉのみが出射される状態と、直接照明光路となる窓７ｂと窓８ｂ２とが重なり合うとともに間接照明光路となる窓７ａと窓８ａ１とが重なり合わずに直接照明光Ｌｄのみが出射される状態と、を切り替えられるようにした。【選択図】図４
2010083403.tif 000002
【特許請求の範囲】
【請求項１】
室内に配置される光源と、
前記光源の周りを覆うように配置され、前記光源からの光を通過させる第一の窓が複数形成され、当該複数の第一の窓には間接照明光路となる窓と直接照明光路となる窓とが含まれる第一遮光体と、
前記第一遮光体の周りを覆うように配置され、前記光源からの光を通過させる第二の窓が複数形成され、当該複数の第二の窓には間接照明光路となる窓と直接照明光路となる窓とが含まれる第二遮光体と、
を備え、
前記第一遮光体および前記第二遮光体のうち少なくともいずれか一方を前記光源周りに回動可能に構成し、それら第一遮光体と第二遮光体との相対回動位置を変化させることによって、前記間接照明光路となる第一の窓および第二の窓が重なり合うとともに前記直接照明光路となる第一の窓および第二の窓が重なり合わずに間接照明光のみが出射される状態と、前記直接照明光路となる第一の窓および第二の窓が重なり合うとともに前記間接照明光路となる第一の窓および第二の窓が重なり合わずに直接照明光のみが出射される状態と、を切り替えられるようにしたことを特徴とする室内照明装置。
【請求項２】
前記間接照明光路となる第一の窓および前記間接照明光路となる第二の窓のうち少なくともいずれか一方が複数形成されるとともに、前記直接照明光路となる第一の窓および前記直接照明光路となる第二の窓のうち少なくともいずれか一方が複数形成され、
前記第一遮光体および第二遮光体の相対回動位置を変化させることによって、前記直接照明光路となる第一の窓および第二の窓が重なり合うとともに前記間接照明光路となる第一の窓および第二の窓が重なり合って間接照明光および直接照明光の双方が出射される状態が得られるようにしたことを特徴とする請求項１に記載の室内照明装置。
【請求項３】
前記第二遮光体を、室内に配置された支持部材に固定したことを特徴とする請求項１または２に記載の室内照明装置。
【請求項４】
前記第一遮光体に取り付けられて当該第一遮光体の回動位置を変化させる操作アームを、前記第二遮光体の外側まで延設したことを特徴とする請求項１〜３のうちいずれか一つに記載の室内照明装置。
【請求項５】
前記第二遮光体に、前記第二の窓における光の通過状態を変化させる調節機構を設けたことを特徴とする請求項１〜４のうちいずれか一つに記載の室内照明装置。
【発明の詳細な説明】
【技術分野】
【０００１】
本発明は、室内照明装置に関する。
【背景技術】
【０００２】
従来の室内照明装置として、光源を覆うカバーに、直接照明用の窓と、間接照明用の窓とを形成し、直接照明状態と間接照明状態とを同時に実現できるようにしたものが知られている（特許文献１）。
【特許文献１】特開２００７−３０２１６２号公報
【発明の開示】
【発明が解決しようとする課題】
【０００３】
しかしながら、かかる従来の室内照明装置は、直接照明状態と間接照明状態とを切り替えられるものではなかった。
【０００４】
そこで、本発明は、直接照明状態と間接照明状態とを切り替えることが可能な室内照明装置を得ることを目的とする。
【課題を解決するための手段】
【０００５】
本発明は、室内に配置した光源を覆うとともに第一の窓を複数有する第一遮光体と、その外側を覆うとともに第二の窓を複数有する第二遮光体と、を設け、第一遮光体および第二遮光体のうち少なくともいずれか一方を光源周りに回動可能に構成し、それら第一遮光体と第二遮光体との相対回動位置を変化させることによって、間接照明光路となる第一の窓および第二の窓が重なり合うとともに直接照明光路となる第一の窓および第二の窓が重なり合わずに間接照明光のみが出射される状態と、直接照明光路となる第一の窓および第二の窓が重なり合うとともに間接照明光路となる第一の窓および第二の窓が重なり合わずに直接照明光のみが出射される状態と、切り替えられるようにしたことを、最も主要な特徴とする。
【発明の効果】
【０００６】
本発明によれば、第一遮光体と第二遮光体とを相対回動させることで、間接照明光路となる第一の窓および第二の窓のみが重なり合う状態と、直接照明光路となる第一の窓および第二の窓のみが重なり合う状態と、を切り替えることができるため、室内照明装置によって室内を照らすのにあたり、直接照明状態と間接照明状態とを選択することができる。
【発明を実施するための最良の形態】
【０００７】
以下、本発明の好適な実施形態について図面を参照しながら詳細に説明する。なお、以下の複数の実施形態および変形例には、同様の構成要素が含まれている。よって、それら同様の構成要素については共通の符号を付与するとともに、重複する説明を省略する。
【０００８】
（第１実施形態）図１〜図６は、本発明の第１実施形態にかかる室内照明装置を示している。このうち、図１は、室内照明装置の斜視図、図２は、室内照明装置の分解斜視図、図３は、図１のIII−III断面図、図４は、図１のIV−IV断面図、図５は、図４と同じ断面において室内照明装置に含まれる第二遮蔽体を回動させた状態を示す図、図６は、図４と同じ断面において室内照明装置に含まれる第二遮蔽体を別の位置に回動させた状態を示す図である。
【０００９】
本実施形態にかかる室内照明装置１は、図４に示すように、車室Ｓ内（室内）の壁面としての天井面２に対して間隔をあけて配置される光源３と、光源３の外周を取り囲むインナケース５と、その外周を取り囲むアウタケース６とを備えている。インナケース５は第一遮光体に相当し、アウタケース６は第二遮光体に相当するものである。
【００１０】
インナケース５には、光源３からの光を通過させる窓（第一の窓）７が複数形成され、アウタケース６には、インナケース５の窓７を通過した光を通過させる窓（第二の窓）８が複数形成されている。なお、本実施形態では、アウタケース６の窓８にはアクリルやガラス等の透光部材からなるパネル１２が嵌め込まれているが、インナケース５の窓には透光部材等は嵌め込まれていない。そして、インナケース５およびアウタケース６ともに、窓７，８以外の部分では、光源３からの光を透過させないように構成されている。
【００１１】
光源３は、例えば蛍光灯や、ＬＥＤ、電球等によって構成することができ、本実施形態では略円柱状に形成されている。そして、光源３の両端部は、ハーネス９が接続されたレセプタクル１０に嵌合され、このレセプタクル１０内で図示しない端子同士が接触することで、光源３に図示しない電池等の電源からハーネス９およびレセプタクル１０を介して電源電力が供給されるようになっている。なお、レセプタクル１０は、支持部材１１に設けられた略円筒状の突出部１１ａの先端部分１１ｂに嵌着され、ハーネス９は、その突出部１１ａの筒内を配索されて、室内照明装置１の外部に引き出されるようになっている。
【００１２】
図２および図３に示すように、インナケース５は、有底で略楕円筒状の二つの筒体５Ｌ，５Ｒからなり、これら筒体５Ｌ，５Ｒの開口縁同士を突き合わせ、それら開口縁に形成された凹部５ａと凸部５ｂとを相互に嵌合することで、軸方向の両端部を閉塞された略楕円筒状に形成されている。各筒体５Ｌ，５Ｒの開口縁には、長径方向（図２では上下方向）となる位置に軸方向に細長い切欠５ｃが形成されており、筒体５Ｌ，５Ｒを突き合わせたときに相互に対応する切欠５ｃ同士によって軸方向に細長い略短冊状の窓７が形成されるようになっている。また、軸方向両端となる端壁５ｄには、貫通孔５ｅが形成されている。各貫通孔５ｅに支持部材１１の突出部１１ａの先端部分１１ｂを挿入することで、支持部材１１によってインナケース５が支持されるようにしてある。なお、本実施形態では、インナケース５は、支持部材１１に対して固定される。
【００１３】
一方、アウタケース６は、有底で略円筒状の二つの筒体６Ｌ，６Ｒからなり、これら筒体６Ｌ，６Ｒの開口縁同士を突き合わせて溶着や接着等して相互に接合することで、軸方向の両端部を閉塞された略円筒状に形成されている。各筒体６Ｌ，６Ｒの開口縁には、それぞれ、相互に対向する位置に、軸方向に細長い切欠６ａが複数形成されており、筒体６Ｌ，６Ｒを突き合わせたときに相互に対応する切欠６ａ同士によって軸方向に細長い略短冊状の窓８が複数形成される。また、軸方向両端となる端壁６ｂには、貫通孔６ｃが形成されている。そして、各貫通孔６ｃに支持部材１１の突出部１１ａの基端部分１１ｃを挿入することで、支持部材１１によってアウタケース６が支持されるようにしてある。本実施形態では、このアウタケース６は、支持部材１１の中心軸である回動軸心Ｃ回りに回動可能に支持される。そして、アウタケース６の外周には回動させる際に手指等で操作する操作部としての突起部１３が設けられている。
【００１４】
そして、インナケース５の外周面とアウタケース６の内周面とは相互に近接して配置され、これらの間の隙間から光が漏れるのを抑制してある。
【００１５】
図４に示すように、インナケース５には、窓７が上下二箇所（７ａ，７ｂ）に設置されている。また、アウタケース６には、窓８が、図４の状態で上下に対向する二箇所（８ａ，８ｂ）と、これら二箇所からそれぞれ図４の右側に離間した二箇所（８ａ１，８ｂ２）と、の合計四箇所に配置されている。
【００１６】
そして、インナケース５の、図４で上側に配置される窓７（７ａ）の上方には、車室Ｓの天井面２の適宜位置に向けて光を導光する導光部材１７が設けられている。
【００１７】
図４の状態で、図示しないスイッチを操作するなどして、光源３を点灯させると、インナケース５の二箇所の窓７（７ａ，７ｂ）と、アウタケース６の二箇所の窓８（８ａ，８ｂ）が重なり合う。よって、この状態では、光源３から、インナケース５の窓７ａ、アウタケース６の窓８ａ、および導光部材１７を通過して天井面２で反射し、車室Ｓ内に向かう間接照明光Ｌｉと、インナケース５の下側の窓７ｂ、アウタケースの窓８ｂを通過して、車室Ｓ内に直接向かう直接照明光Ｌｄと、の双方が得られることになる。
【００１８】
そして、上述したように、本実施形態では、アウタケース６が回動軸心Ｃ回りに回動可能に構成されている。ここで、図５に示すように、アウタケース６を図４の反時計回り方向に所定角度回動させると、インナケース５の上側の窓７ａについては、アウタケース６の窓８ａ１が重なり合うものの、インナケース５の下側の窓７ｂについては、アウタケース６の周壁で塞がれて、いずれの窓８（８ａ，８ｂ，８ａ１，８ｂ２）も重なり合わない状態を得ることができる。よって、この状態では、光源３から、インナケース５の上側の窓７ａ、アウタケースの窓８ａ１、および導光部材１７を通過して天井面２で反射し、車室Ｓ内に向かう間接照明光Ｌｉのみが得られ、直接照明光は得られないことになる。
【００１９】
一方、図６に示すように、アウタケース６を図４の時計回り方向に所定角度回動させると、インナケース５の上側の窓７ａについては、アウタケース６の周壁で塞がれて、いずれの窓８（８ａ，８ｂ，８ａ１，８ｂ２）も重なり合わず、インナケース５の下側の窓７ｂにはアウタケース６の窓８ｂ２が重なり合う状態となる。よって、この状態では、光源３からインナケース５の下側の窓７ｂ、およびアウタケース６の窓８ｂ２を通過して車室Ｓ内に向かう直接照明光Ｌｄのみが得られ、間接照明光は得られないことになる。
【００２０】
以上のように、本実施形態にかかる室内照明装置１は、光源３と、光源３の周りを覆うように配置され、光源３からの光を通過させる窓７が複数形成され、当該複数の窓７には間接照明光路となる窓７ａと直接照明光路となる窓７ｂとが含まれるインナケース５と、インナケース５の周りを覆うように配置され、光源３からの光を通過させる窓８が複数形成され、当該複数の窓８には間接照明光路となる窓８ａ１と直接照明光路となる窓８ｂ２とが含まれるアウタケース６と、を備えている。
【００２１】
そして、本実施形態では、アウタケース６を光源３周りに回動可能に構成し、インナケース５とアウタケース６との相対回動位置を変化させることによって、間接照明光路となる窓７ａと窓８ａ１とが重なり合うとともに直接照明光路となる窓７ｂと窓８ｂ２とが重なり合わずに間接照明光Ｌｉのみが出射される状態（図５に示す状態）と、直接照明光路となる窓７ｂと窓８ｂ２とが重なり合うとともに間接照明光路となる窓７ａと窓８ａ１とが重なり合わずに直接照明光Ｌｄのみが出射される状態（図６に示す状態）と、を切り替えられるようにした。
【００２２】
さらに、本実施形態では、間接照明光路となる窓８（８ａ，８ａ１）が複数形成されるとともに、直接照明光路となる窓８（８ｂ，８ｂ２）が複数形成され、インナケース５とアウタケース６との相対回動位置を変化させることによって、さらに、直接照明光路となる窓７ａおよび窓８ａが重なり合うとともに間接照明光路となる窓７ｂおよび窓８ｂが重なり合って間接照明光Ｌｉおよび直接照明光Ｌｄの双方が出射される状態（図４に示す状態）が得られるようにした。
【００２３】
したがって、本実施形態では、アウタケース６の回動位置を変化させるだけで、比較的容易に、間接照明状態（図６）、直接照明状態（図５）、間接照明状態と直接照明状態とが双方得られる状態（図４）の三つの状態を切り替えることができる。
【００２４】
また、本実施形態では、アウタケース６を略円筒状とし、インナケース５を略楕円筒状としたため、インナケース５の外周とアウタケース６の内周とを摺接させる構成とした場合にあっても、相互に対向して摺接する領域の面積を減らして、これらが相対回動する際の摺動抵抗を減らすことができる。
【００２５】
（第２実施形態）図７〜図１１は、本発明の第２実施形態にかかる室内照明装置を示している。このうち、図７は、室内照明装置の斜視図、図８は、室内照明装置の分解斜視図、図９は、図７のIX−IX断面図、図１０は、図９と同じ断面において室内照明装置に含まれる第一遮蔽体を回動させた状態を示す図、図１１は、図９と同じ断面において室内照明装置に含まれる第一遮蔽体を別の位置に回動させた状態を示す図である。
【００２６】
本実施形態にかかる室内照明装置１Ａは、基本的には上記第１実施形態にかかる室内照明装置１と同様の構成を有している。ただし、本実施形態では、第二遮光体としてのアウタケース６Ａを支持部材１１に固定し、支持部材１１によって第一遮光体としてのインナケース５Ａを回動可能に支持した点が、上記第１実施形態と相違している。また、インナケース５Ａを動かしやすくするため、当該インナケース５Ａ（筒体５ＬＡ）の端壁５ｄから軸方向に沿って操作アーム１４を延設し、この操作アーム１４をアウタケース６Ａ（筒体６ＬＡ）の端壁６ｂに形成した円弧状のスリット６ｄに貫通させて、アウタケース６の外側に露出させてある。これら以外の構成は上記第１実施形態とほぼ同じにしてある。
【００２７】
したがって、図９の状態では、図４に示したのと同様に、図示しないスイッチを操作するなどして、光源３を点灯させると、インナケース５Ａの二箇所の窓７（７ａ，７ｂ）と、アウタケース６Ａの二箇所の窓８（８ａ，８ｂ）とが重なり合う。よって、この状態では、光源３から、インナケース５の上側の窓７ａ、アウタケース６の窓８ａ、および導光部材１７を通過して天井面２で反射し、車室Ｓ内に向かう間接照明光Ｌｉと、インナケース５の下側の窓７ｂ、アウタケースの窓８ｂを通過して、車室Ｓ内に直接向かう直接照明光Ｌｄと、の双方が得られることになる。
【００２８】
一方、図１０に示すように、インナケース５Ａを図９の時計回り方向に所定角度回動させると、インナケース５Ａの上側の窓７ａについては、アウタケース６Ａの窓８ａ１が重なり合うものの、インナケース５Ａの下側の窓７ｂについては、いずれの窓８（８ａ，８ｂ，８ａ１，８ｂ２）も重なり合わない状態を得ることができる。よって、この状態では、光源３から、インナケース５Ａの上側の窓７ａ、およびアウタケース６Ａの窓８ａ１を通過して天井面２で反射し、車室Ｓ内に向かう間接照明光Ｌｉ１のみが得られ、直接照明光は得られないことになる。
【００２９】
また、図１１に示すように、インナケース５Ａを図９の反時計回り方向に所定角度回動させると、インナケース５Ａの上側の窓７ａについては、アウタケース６Ａの周壁で塞がれて、いずれの窓８（８ａ，８ｂ，８ａ１，８ｂ２）も重なり合わず、インナケース５Ａの下側の窓７ｂにはアウタケース６Ａの窓８ｂ２が重なり合う状態となる。よって、この状態では、光源３からインナケース５Ａの下側の窓７ｂ、およびアウタケース６Ａの窓８ｂ２を通過して車室Ｓ内に向かう直接照明光Ｌｄ１のみが得られ、間接照明光は得られないことになる。
【００３０】
以上の本実施形態によれば、インナケース５Ａの回動位置を変化させるだけで、比較的容易に、間接照明状態（図１０）、直接照明状態（図１１）、間接照明状態と直接照明状態とが双方得られる状態（図９）の三つの状態を切り替えることができる。
【００３１】
また、本実施形態では、第二遮光体としてのアウタケース６Ａを室内に配置された支持部材１１に固定した。よって、本実施形態では、アウタケース６Ａによって覆われたインナケース５Ａが回動することとなって、美観を向上させやすくなるとともに、第一遮光体を動かす場合に比べて、可動部分の保護性を高めやすくなる。
【００３２】
また、本実施形態では、インナケース５Ａの回動位置を変化させる操作アーム１４を、アウタケース６Ａの外側まで延設してある。よって、この操作アーム１４を用いて、インナケース５Ａをより容易に回動させることができる。
【００３３】
（第２実施形態の第１変形例）図１２は、上記第２実施形態の第１変形例にかかる室内照明装置の断面図（図９と同じ断面での断面図）である。
【００３４】
本変形例にかかる室内照明装置１Ｂも、上記第２実施形態と同様に、アウタケース６Ｂを支持部材１１（図示せず）に固定し、支持部材１１によってインナケース５Ａを回動可能に支持してある。
【００３５】
ただし、本変形例では、アウタケース６Ｂの窓８ｂに、当該窓８ｂを通過する光の通過状態（本変形例では光の方向や光の通過量）を変化させる調節手段としてルーバ１５を設けてある。具体的には、ルーバ１５は、アウタケース６Ｂの軸方向に沿って細長いフィン１５ａを複数備え、これらのフィン１５ａが、いずれも回動軸心Ｃと略平行な支軸周りに回動可能にアウタケース６Ｂの周壁に支持され、これらの回動角度を可変設定できるようにしてある。さらに、複数のフィン１５ａに係合されるレバー１５ｂを設け、このレバー１５ｂによって複数のフィン１５ａの角度を略平行に可変設定できるようにしてある。なお、ルーバ１５を設けた点以外は、上記第２実施形態と同様の構成となっている。
【００３６】
本変形例によれば、調節機構としてのルーバ１５を設けたため、窓８ｂからの光の出射方向ならびに光の出射量を調節できるようになり、所望の照明状態を得やすくなる。
【００３７】
また、調節機構としてのルーバ１５をアウタケース６Ｂに設けたため、当該ルーバをインナケース５Ａに設けた場合に比べて、レイアウトの制約が少なくなって、より容易に配設することができるとともに、ルーバ１５の操作部としてのレバー１５ｂを設けやすくなるという利点もある。
【００３８】
（第２実施形態の第２変形例）図１３は、上記第２実施形態の第２変形例にかかる室内照明装置の断面図（図９と同じ断面での断面図）である。
【００３９】
本変形例にかかる室内照明装置１Ｃも、上記第２実施形態と同様に、第二遮蔽体としてのアウタケース６Ｂを支持部材１１に固定し、支持部材１１によって第一遮蔽体としてのインナケース５Ａを回動可能に支持してある。
【００４０】
ただし、本変形例では、アウタケース６Ｃの窓８ｂに、当該窓８ｂを通過する光の通過状態（本変形例では光の通過量）を変化させる調節手段として可動シャッター１６を設けてある。具体的には、アウタケース６Ｃの外周面上に沿ってほぼ摺接しながら移動する断面円弧状かつ帯状のプレート１６ａを設け、このプレート１６ａを、アウタケース６Ｃに、図示しない支持機構を介して全閉位置（窓８ｂを塞がない位置、図１３では左側）と全開位置（窓８ｂの全域を塞ぐ位置、図１３では右側）との間でスライド可能に保持している。
【００４１】
本変形例によれば、調節機構としての可動シャッター１６を設けたため、窓８ｂの開口面積を変化させて当該窓８ｂからの光の出射量を調節できるようになり、所望の照明状態を得やすくなる。
【００４２】
また、調節機構としての可動シャッター１６をアウタケース６Ｃに設けたため、インナケース５Ａに設けた場合に比べて、レイアウトの制約が少なくなる分、より容易に配設することができる。
【００４３】
以上、本発明の好適な実施形態および変形例について説明したが、本発明は上記実施形態には限定されず、種々の変形が可能である。
【００４４】
例えば、上記実施形態および変形例では、第一遮蔽体としてのインナケースおよび第二遮蔽体としてのアウタケースともに、支持部材によって支持する構成としたが、これには限定されず、第一遮蔽体および第二遮蔽体のうち一方を支持部材に固定し、他方を当該一方によって可動支持するようにしてもよい。一例としては、アウタケースを支持部材に固定し、インナケースをアウタケースによって回動可能に支持するように構成してもよい。
【００４５】
また、インナケースやアウタケースの構成も、適宜に変更可能であり、楕円筒状や円筒状には限定されない。
【００４６】
また、窓の数や設定位置も適宜に変更可能である。一例としては、第二遮蔽体には、間接照明光路となる第二の窓と直接照明光路となる第二の窓をそれぞれ一箇所ずつ形成し、第一遮蔽体に、間接照明光路となる窓ならびに直接照明光路となる第一の窓を二箇所ずつ形成してもよい。
【００４７】
また、複数の窓のスペック（例えば、幅、長さ、形成位置、形状等）を相異ならせてもよいし、窓に嵌めるパネルの光透過性を相異ならせてもよい。また、全ての窓にパネルを嵌めてもよいし、一部の窓のみにパネルを嵌めても良い。
【００４８】
また、窓のレイアウトを適宜に設定することで、間接照明光路となる第一の窓および第二の窓が重なり合うとともに直接照明光路となる第一の窓および第二の窓が重なり合わずに間接照明光のみが出射される状態、および直接照明光路となる第一の窓および第二の窓が重なり合うとともに間接照明光路となる第一の窓および第二の窓が重なり合わずに直接照明光のみが出射される状態のうちいずれか一方と、直接照明光路となる第一の窓および第二の窓が重なり合うとともに間接照明光路となる第一の窓および第二の窓が重なり合って間接照明光および直接照明光の双方が出射される状態と、を切り替えられるようにしてもよい。
【図面の簡単な説明】
【００４９】
【図１】本発明の第１実施形態にかかる室内照明装置の斜視図である。
【図２】本発明の第１実施形態にかかる室内照明装置の分解斜視図である。
【図３】図１のIII−III断面図である。
【図４】図１のIV−IV断面図である。
【図５】本発明の第１実施形態にかかる室内照明装置に含まれる第二遮蔽体を図４の状態に対して所定角度回動させた状態を示す図であって、図４と同じ断面での断面図である。
【図６】本発明の第１実施形態にかかる室内照明装置に含まれる第二遮蔽体を図４の状態に対して所定角度別の位置に回動させた状態を示す図であって、図４と同じ断面での断面図である。
【図７】本発明の第２実施形態にかかる室内照明装置の斜視図である。
【図８】本発明の第２実施形態にかかる室内照明装置の分解斜視図である。
【図９】図７のIX−IX断面図である。
【図１０】本発明の第２実施形態にかかる室内照明装置に含まれる第一遮蔽体を図９の状態に対して所定角度回動させた状態を示す図であって、図９と同じ断面での断面図である。
【図１１】本発明の第２実施形態にかかる室内照明装置に含まれる第一遮蔽体を図９の状態に対して所定角度別の位置に回動させた状態を示す図であって、図９と同じ断面での断面図である。
【図１２】本発明の第２実施形態の第１変形例にかかる室内照明装置を示す図であって、図９と同じ断面での断面図である。
【図１３】本発明の第２実施形態の第２変形例にかかる室内照明装置を示す図であって、図９と同じ断面での断面図である。
【符号の説明】
【００５０】
Ｌｉ，Ｌｉ１  間接照明光
Ｌｄ，Ｌｄ１  直接照明光
Ｓ  車室
１，１Ａ〜１Ｃ  室内照明装置
３  光源
５，５Ａ  インナケース（第一遮蔽体）
６，６Ａ〜６Ｃ  アウタケース（第二遮蔽体）
７  窓（第一の窓）
８  窓（第二の窓）
７ａ  窓（間接照明光路となる第一の窓）
７ｂ  窓（直接照明光路となる第一の窓）
８ａ，８ａ１  窓（間接照明光路となる第二の窓）
８ｂ，８ｂ２  窓（直接照明光路となる第二の窓）
１１  支持部材
１４  操作アーム
１５  ルーバ（調節機構）
１６  可動シャッター（調節機構）
【図１】
2010083403.tif 000003
【図２】
2010083403.tif 000004
【図３】
2010083403.tif 000005
【図４】
2010083403.tif 000006
【図５】
2010083403.tif 000007
【図６】
2010083403.tif 000008
【図７】
2010083403.tif 000009
【図８】
2010083403.tif 000010
【図９】
2010083403.tif 000011
【図１０】
2010083403.tif 000012
【図１１】
2010083403.tif 000013
【図１２】
2010083403.tif 000014
【図１３】
2010083403.tif 000015